【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
入力色によって規定される格子点に対応して印刷装置で用いられる色材色を表す格子点データを格納し、前記入力色を、前記格子点によって構成される立体の頂点に対応した色以外の特色を含んだ前記色材色に変換する色分解テーブルの作成方法であって、
印刷装置で色材色として用いる特色の情報を用意し、
前記立体における２つの頂点を結ぶ辺上に、前記用意した特色情報に基づき当該特色の点を定め、
前記立体における２つの頂点であるブラックとホワイトを結ぶライン、前記立体の表面を通り複数の頂点を結ぶライン、および前記立体の表面を通り複数の頂点を結び前記特色の点を含むラインそれぞれにおける格子点について、パッチの測色結果に基づき格子点データを求め、
前記立体を前記各ラインによって分割し、該分割された複数の立体について、前記各ラインにおける格子点の格子点データに基づいて補間処理を行い、当該分割された立体における、当該ライン以外の格子点の格子点データを求める、
ステップを有したことを特徴とする色分解テーブル作成方法。
【請求項２】
前記特色の情報を用意するステップは、ユーザインターフェースを介して入力する特色情報を受けることにより当該情報を用意することを特徴とする請求項１に記載の色分解テーブル作成方法。
【請求項３】
前記特色以外の色材の色は、シアン、マゼンタ、イエローおよびブラック色の４色、またはシアン、マゼンタ、イエロー、ブラックの４色に淡シアン、淡マゼンタ色を加えた６色であることを特徴とする請求項１または２に記載の色分解テーブル作成方法。
【請求項４】
前記特色は、オレンジ色であることを特徴とする請求項１ないし３のいずれかに記載の色分解テーブル作成方法。
【請求項５】
前記入力色は、レッド、グリーン、ブルーであることを特徴とする請求項１ないし４のいずれかに記載の色分解テーブル作成方法。
【請求項６】
入力色によって規定される格子点に対応して印刷装置で用いられる色材色を表す格子点データを格納し、前記入力色を、前記格子点によって構成される立体の頂点に対応した色以外の特色を含んだ前記色材色に変換する色分解テーブルを作成する画像処理装置であって、
印刷装置で色材色として用いる特色の情報を用意する特色情報手段と、
前記立体における２つの頂点を結ぶ辺上に、前記用意した特色情報に基づき当該特色の点を定める特色点設定手段と、
前記立体における２つの頂点であるブラックとホワイトを結ぶライン、前記立体の表面を通り複数の頂点を結ぶライン、および前記立体の表面を通り複数の頂点を結び前記特色の点を含むラインそれぞれにおける格子点について、パッチの測色結果に基づき格子点データを求めるテーブルデータ作成手段と、
前記立体を前記各ラインによって当該ラインを辺として含む複数の立体に分割し、該分割された複数の立体について、前記各ラインにおける格子点の格子点データに基づいて補間処理を行い、当該分割された立体における、当該ライン以外の格子点の格子点データを求める補間手段と、
を具えたことを特徴とする画像処理装置。
【請求項７】
前記特色情報手段は、ユーザインターフェースを介して入力する特色情報を受けることにより当該情報を用意することを特徴とする請求項６に記載の画像処理装置。
【請求項８】
前記特色以外の色材の色は、シアン、マゼンタ、イエローおよびブラック色の４色、またはシアン、マゼンタ、イエロー、ブラックの４色に淡シアン、淡マゼンタ色を加えた６色であることを特徴とする請求項６または７に記載の画像処理装置。
【請求項９】
前記特色は、オレンジ色であることを特徴とする請求項６ないし８のいずれかに記載の画像処理装置。
【請求項１０】
前記入力色は、レッド、グリーン、ブルーであることを特徴とする請求項６ないし９のいずれかに記載の画像処理装置。
【請求項１１】
コンピュータに読取られることにより、該コンピュータに、入力色によって規定される格子点に対応して印刷装置で用いられる色材色を表す格子点データを格納し、前記入力色を、前記格子点によって構成される立体の頂点に対応した色以外の特色を含んだ前記色材色に変換する色分解テーブルを作成する画像処理を実行させるプログラムであって、前記画像処理が、
印刷装置で色材色として用いる特色の情報を用意し、
前記立体における２つの頂点を結ぶ辺上に、前記用意した特色情報に基づき当該特色の点を定め、
前記立体における２つの頂点であるブラックとホワイトを結ぶライン、前記立体の表面を通り複数の頂点を結ぶライン、および前記立体の表面を通り複数の頂点を結び前記特色の点を含むラインそれぞれにおける格子点について、パッチの測色結果に基づき格子点データを求め、
前記立体を前記各ラインによって当該ラインを辺として含む複数の立体に分割し、該分割された複数の立体について、前記各ラインにおける格子点の格子点データに基づいて補間処理を行い、当該分割された立体における、当該ライン以外の格子点の格子点データを求める、
ステップを有したことを特徴とするプログラム。
【手続補正２】
【補正対象書類名】明細書
【補正対象項目名】００１１
【補正方法】変更
【補正の内容】
【００１１】
そのために本発明では、入力色によって規定される格子点に対応して印刷装置で用いられる色材色を表す格子点データを格納し、前記入力色を、前記格子点によって構成される立体の頂点に対応した色以外の特色を含んだ前記色材色に変換する色分解テーブルの作成方法であって、印刷装置で色材色として用いる特色の情報を用意し、前記立体における２つの頂点を結ぶ辺上に、前記用意した特色情報に基づき当該特色の点を定め、前記立体における２つの頂点であるブラックとホワイトを結ぶライン、前記立体の表面を通り複数の頂点を結ぶライン、および前記立体の表面を通り複数の頂点を結び前記特色の点を含むラインそれぞれにおける格子点について、パッチの測色結果に基づき格子点データを求め、前記立体を前記各ラインによって分割し、該分割された複数の立体について、前記各ラインにおける格子点の格子点データに基づいて補間処理を行い、当該分割された立体における、当該ライン以外の格子点の格子点データを求める、ステップを有したことを特徴とする。
【手続補正３】
【補正対象書類名】明細書
【補正対象項目名】００１２
【補正方法】変更
【補正の内容】
【００１２】
また、入力色によって規定される格子点に対応して印刷装置で用いられる色材色を表す格子点データを格納し、前記入力色を、前記格子点によって構成される立体の頂点に対応した色以外の特色を含んだ前記色材色に変換する色分解テーブルを作成する画像処理装置であって、印刷装置で色材色として用いる特色の情報を用意する特色情報手段と、前記立体における２つの頂点を結ぶ辺上に、前記用意した特色情報に基づき当該特色の点を定める特色点設定手段と、前記立体における２つの頂点であるブラックとホワイトを結ぶライン、前記立体の表面を通り複数の頂点を結ぶライン、および前記立体の表面を通り複数の頂点を結び前記特色の点を含むラインそれぞれにおける格子点について、パッチの測色結果に基づき格子点データを求めるテーブルデータ作成手段と、前記立体を前記各ラインによって当該ラインを辺として含む複数の立体に分割し、該分割された複数の立体について、前記各ラインにおける格子点の格子点データに基づいて補間処理を行い、当該分割された立体における、当該ライン以外の格子点の格子点データを求める補間手段と、を具えたことを特徴とする。